【手続補正書】
【提出日】平成17年8月4日(2005.8.4)
【手続補正１】
【補正対象書類名】明細書
【補正対象項目名】特許請求の範囲
【補正方法】変更
【補正の内容】
【特許請求の範囲】
【請求項１】  ２次元配列の画素アレイ部を有し、前記画素アレイ部を画素列単位または画素行単位で走査して各画素のシャッタ動作及び読み出し動作を行う固体撮像素子と、
前記固体撮像素子で１フレーム周期毎に高速走査によって前記シャッタ動作及び読み出し動作を行い、その画像信号を蓄積する画像記憶手段と、
前記画像記録手段に蓄積された画像信号を前記フレーム周期に対応するフレームレートで読み出し出力する出力制御手段と、
を有することを特徴とする固体撮像装置。
【請求項２】  前記固体撮像素子より出力された画像信号にＡ／Ｄ変換を施して前記画像記憶手段に出力するＡ／Ｄ変換手段を有することを特徴とする請求項１記載の固体撮像装置。
【請求項３】  ２次元配列の画素アレイ部を有し、前記画素アレイ部を画素列単位または画素行単位で走査して各画素のシャッタ動作及び読み出し動作を行う固体撮像素子と、
前記固体撮像素子で１フレーム周期毎に高速走査によって前記シャッタ動作及び読み出し動作を行い、その画像信号を蓄積する画像記憶手段と、
前記画像記録手段に蓄積された画像信号を前記フレーム周期に対応するフレームレートで読み出し出力する出力制御手段と、
を有することを特徴とするカメラ装置。
【請求項４】  前記固体撮像素子より出力された画像信号にＡ／Ｄ変換を施して前記画像記憶手段に出力するＡ／Ｄ変換手段を有することを特徴とする請求項３記載のカメラ装置。
【請求項５】  ２次元配列の画素アレイ部を有し、前記画素アレイ部を画素列単位または画素行単位で走査して各画素のシャッタ動作及び読み出し動作を行う固体撮像素子と、
前記固体撮像素子で１フレーム周期毎に高速走査によって前記シャッタ動作及び読み出し動作を行い、その画像信号を蓄積する画像記憶手段と、
前記固体撮像素子における１フレーム周期の前記シャッタ動作及び読み出し動作のブランク期間を用いて前記固体撮像素子から測距用画像の読み出し動作を行う測距用画像読み出し手段と、
前記測距用画像読み出し手段によって読み出された測距用画像から前記固体撮像素子の光学系を制御して自動焦点調節制御を行う自動焦点制御手段と、
を有することを特徴とする固体撮像装置。
【請求項６】  前記測距用画像読み出し手段は、前記画像記憶手段の前段で前記固体撮像素子から測距用画像の読み出し動作を行うことを特徴とする請求項５記載の固体撮像装置。
【請求項７】  ２次元配列の画素アレイ部を有し、前記画素アレイ部を画素列単位または画素行単位で走査して各画素のシャッタ動作及び読み出し動作を行う固体撮像素子と、
前記固体撮像素子で１フレーム周期毎に高速走査によって前記シャッタ動作及び読み出し動作を行い、その画像信号を蓄積する画像記憶手段と、
前記固体撮像素子における１フレーム周期の前記シャッタ動作及び読み出し動作のブランク期間を用いて前記固体撮像素子から測距用画像の読み出し動作を行う測距用画像読み出し手段と、
前記測距用画像読み出し手段によって読み出された測距用画像から前記固体撮像素子の光学系を制御して自動焦点調節制御を行う自動焦点制御手段と、
を有することを特徴とするカメラ装置。
【請求項８】  前記測距用画像読み出し手段は、前記画像記憶手段の前段で前記固体撮像素子から測距用画像の読み出し動作を行うことを特徴とする請求項７記載のカメラ装置。
【請求項９】  前記固体撮像素子より出力された画像信号にＡ／Ｄ変換を施して前記画像記憶手段及び前記測距用画像読み出し手段に出力するＡ／Ｄ変換手段を有することを特徴とする請求項７記載のカメラ装置。
【請求項１０】  ２次元配列の画素アレイ部を有し、前記画素アレイ部を画素列単位または画素行単位で走査して各画素のシャッタ動作及び読み出し動作を行う固体撮像素子を有する固体撮像装置の制御方法であって、
前記固体撮像素子で１フレーム周期毎に高速走査によって前記シャッタ動作及び読み出し動作を行い、その画像信号を画像記憶手段に蓄積し、さらに前記画像記録手段に蓄積された画像信号を前記フレーム周期に対応するフレームレートで読み出し出力する、
ことを特徴とする固体撮像装置の制御方法。
【請求項１１】  前記固体撮像素子より出力された画像信号にＡ／Ｄ変換を施して前記画像記憶手段に蓄積することを特徴とする請求項１０記載の固体撮像装置の制御方法。
【請求項１２】  ２次元配列の画素アレイ部を有し、前記画素アレイ部を画素列単位または画素行単位で走査して各画素のシャッタ動作及び読み出し動作を行う固体撮像素子を有するカメラ装置の制御方法であって、
前記固体撮像素子で１フレーム周期毎に高速走査によって前記シャッタ動作及び読み出し動作を行い、その画像信号を画像記憶手段に蓄積し、さらに前記画像記録手段に蓄積された画像信号を前記フレーム周期に対応するフレームレートで読み出し出力する、
ことを特徴とするカメラ装置の制御方法。
【請求項１３】  前記固体撮像素子より出力された画像信号にＡ／Ｄ変換を施して前記画像記憶手段に蓄積することを特徴とする請求項１２記載のカメラ装置の制御方法。
【請求項１４】  前記固体撮像素子より出力された画像信号を前記信号記憶手段に蓄積し、その後、前記信号処理することを特徴とする請求項１２記載のカメラ装置の制御方法。
【請求項１５】  ２次元配列の画素アレイ部を有し、前記画素アレイ部を画素列単位または画素行単位で走査して各画素のシャッタ動作及び読み出し動作を行う固体撮像素子を有する固体撮像装置の制御方法であって、
前記固体撮像素子で１フレーム周期毎に高速走査によって前記シャッタ動作及び読み出し動作を行い、その画像信号を画像記憶手段に蓄積するとともに、前記固体撮像素子における１フレーム周期の前記シャッタ動作及び読み出し動作のブランク期間を用いて前記固体撮像素子から測距用画像の読み出し動作を行い、さらに前記測距用画像から前記固体撮像素子の光学系を制御して自動焦点調節制御を行う、
ことを特徴とする固体撮像装置の制御方法。
【請求項１６】  前記画像記憶手段の前段で前記固体撮像素子から測距用画像の読み出し動作を行うことを特徴とする請求項１５記載の固体撮像装置の制御方法。
【請求項１７】  前記固体撮像素子より出力された画像信号にＡ／Ｄ変換を施して画像記憶手段に蓄積するとともに、前記Ａ／Ｄ変換された測距用画像から自動焦点調節制御を行うことを特徴とする請求項１５記載の固体撮像装置の制御方法。
【請求項１８】  ２次元配列の画素アレイ部を有し、前記画素アレイ部を画素列単位または画素行単位で走査して各画素のシャッタ動作及び読み出し動作を行う固体撮像素子を有するカメラ装置の制御方法であって、
前記固体撮像素子で１フレーム周期毎に高速走査によって前記シャッタ動作及び読み出し動作を行い、その画像信号を画像記憶手段に蓄積するとともに、前記固体撮像素子における１フレーム周期の前記シャッタ動作及び読み出し動作のブランク期間を用いて前記固体撮像素子から測距用画像の読み出し動作を行い、さらに前記測距用画像から前記固体撮像素子の光学系を制御して自動焦点調節制御を行う、
ことを特徴とするカメラ装置の制御方法。
【請求項１９】  前記画像記憶手段の前段で前記固体撮像素子から測距用画像の読み出し動作を行うことを特徴とする請求項１８記載のカメラ装置の制御方法。
【請求項２０】  前記固体撮像素子より出力された画像信号にＡ／Ｄ変換を施して画像記憶手段に蓄積するとともに、前記Ａ／Ｄ変換された測距用画像から自動焦点調節制御を行うことを特徴とする請求項１８記載のカメラ装置の制御方法。